(57)【要約】【課題】横桟から離れる方向への太陽光パネルの移動を一層抑制できるパネル押え部材を有し、かつ、横桟を簡易な梱包で出荷できる太陽光パネル架台を提供すること。【解決手段】太陽光パネル４を屋根に固定するための太陽光パネル架台３であって、縦桟３１と、傾斜方向に直交する方向に延びて縦桟３１上に連結される横桟３２と、太陽光パネル４の上面側に配置され横桟３２から離れる方向への太陽光パネル４の移動を押さえるパネル押え部材３５と、を備え、横桟３２の上部は、棟側の太陽光パネル４の軒側端部と、軒側の太陽光パネル４の棟側端部とに挟まれて配置され、パネル押え部材３５は、隣接する太陽光パネル４の軒側端部及び棟側端部の上方側に配置され屋根の傾斜方向の軒側及び棟側の両側に延出する一対の押え片３５２，３５３と、下方に突出して形成され横桟３２の上部に係合する係合爪部５３４と、を有し、横桟３２の上部にネジ止めされる。【選択図】図４
2019027239.tif 000002
【特許請求の範囲】
【請求項１】
太陽光パネルを屋根に固定するための太陽光パネル架台であって、
屋根の傾斜方向に延びて前記屋根に固定される縦桟と、
前記傾斜方向に直交する方向に延びて前記縦桟上に連結され、前記太陽光パネルを下方から支持する横桟と、
前記太陽光パネルの上面側に配置され前記横桟から離れる方向への前記太陽光パネルの移動を押さえるパネル押え部材と、を備え、
前記横桟の上部は、屋根の傾斜方向に並んで隣接する太陽光パネルのうち、棟側の太陽光パネルの軒側端部と、軒側の太陽光パネルの棟側端部とに挟まれて配置され、
前記パネル押え部材は、隣接する前記太陽光パネルの前記軒側端部及び前記棟側端部の上方側に配置され屋根の傾斜方向の軒側及び棟側の両側に延出する一対の押え片と、下方に突出して形成され前記横桟の上部に係合する係合爪部と、を有し、前記横桟の上部にネジ止めされる太陽光パネル架台。
【請求項２】
前記パネル押え部材は、前記横桟に対する前記パネル押え部材の位置を位置決めするために利用される位置決め確認手段を備える請求項１に記載の太陽光パネル架台。
【請求項３】
前記位置決め確認手段は、前記パネル押え部材に形成されるＶ溝である請求項２に記載の太陽光パネル架台。
【請求項４】
前記位置決め確認手段は、前記パネル押え部材に形成される貫通穴である請求項２又は３に記載の太陽光パネル架台。
【請求項５】
前記位置決め確認手段は、前記パネル押え部材における棟側又は軒側の少なくとも一方側に設けられる請求項２から４のいずれかに記載の太陽光パネル架台。
【請求項６】
前記位置決め確認手段は、前記パネル押え部材における軒側に設けられる請求項５に記載の太陽光パネル架台。
【発明の詳細な説明】
【技術分野】
【０００１】
本発明は、太陽光パネル架台に関する。詳しくは、太陽光発電パネルを屋根に固定するための太陽光パネル架台に関する。
【背景技術】
【０００２】
従来、太陽光発電パネルを屋根に固定するための太陽光パネル架台において、横桟から離れる方向への太陽光発電パネルの移動を押さえるパネル押え部材を有するものが知られている（例えば、特許文献１参照）。特許文献１に記載の横桟の上部は、屋根の傾斜方向に並んで隣接する太陽光パネルのうち、棟側の太陽光パネルの軒側端部と、軒側の太陽光パネルの棟側端部とに挟まれて配置されている。
【０００３】
特許文献１に記載のパネル押え部材は、隣接する太陽光発電パネルにおける軒側端部及び棟側端部のうち、一方の太陽光発電パネルの棟側端部のみにおいて、太陽光発電パネルの端部の上面を押さえるように構成されている。また、他方の太陽光発電パネルの軒側端部においては、横桟の押え片により、太陽光発電パネルの端部の上面を押さえるように構成されている。
【０００４】
また、特許文献１に記載の技術においては、他方の太陽光発電パネルの軒側端部においては、横桟の押え片により、太陽光発電パネルの端部の上面を押さえるように構成されているため、横桟が太陽光パネルの端部において露出する。そのため、横桟は、太陽光発電パネルの色であるブラック色に合わせて、ブラック色に塗装されている。
【先行技術文献】
【特許文献】
【０００５】
【特許文献１】特開２０１２−１４９４０２号公報
【発明の概要】
【発明が解決しようとする課題】
【０００６】
特許文献１に記載の技術においては、隣接する太陽光発電パネルにおける軒側端部及び棟側端部の上面は、一方の太陽光発電パネルの棟側端部においてパネル押え部材により押さえられ、他方の太陽光発電パネルの軒側端部において横桟の押さえ片により押さえられている。それぞれ別々の部材により押さえられるように構成されている。
太陽光パネルが横桟の上方に配置される構成において、横桟から離れる方向への太陽光パネルの移動を抑制できることが望まれる。
【０００７】
また、特許文献１に記載の技術においては、横桟は、太陽光発電パネルの色であるブラック色に合わせて、ブラック色に塗装されている。これにより、横桟をブラック色に塗装するため、横桟の表面に傷が付きやすく、傷が目立ち易い。また、傷が付き難い梱包状態で輸送する必要性も生じる。よって、横桟を簡易な梱包で出荷できることが望まれる。
【０００８】
本発明は、横桟から離れる方向への太陽光パネルの移動を一層抑制できるパネル押え部材を有し、かつ、横桟を簡易な梱包で出荷できる太陽光パネル架台を提供することを目的とする。
【課題を解決するための手段】
【０００９】
本発明は、太陽光パネル（例えば、後述の太陽光発電パネル４）を屋根に固定するための太陽光パネル架台（例えば、後述の太陽光パネル架台３）であって、屋根の傾斜方向に延びて前記屋根に固定される縦桟（例えば、後述の縦桟３１）と、前記傾斜方向に直交する方向に延びて前記縦桟上に連結され、前記太陽光パネルを下方から支持する横桟（例えば、後述の横桟３２）と、前記太陽光パネルの上面側に配置され前記横桟から離れる方向への前記太陽光パネルの移動を押さえるパネル押え部材（例えば、後述の連結部パネル押え部材３５）と、を備え、前記横桟の上部は、屋根の傾斜方向に並んで隣接する太陽光パネルのうち、棟側の太陽光パネルの軒側端部と、軒側の太陽光パネルの棟側端部とに挟まれて配置され、前記パネル押え部材は、隣接する前記太陽光パネルの前記軒側端部及び前記棟側端部の上方側に配置され屋根の傾斜方向の軒側及び棟側の両側に延出する一対の押え片（例えば、後述の棟側延出片３５２、軒側延出片３５３）と、下方に突出して形成され前記横桟の上部に係合する係合爪部（後述の下部係合爪片３５４）と、を有し、前記横桟の上部にネジ止めされる太陽光パネル架台に関する。
【００１０】
また、前記パネル押え部材は、前記横桟に対する前記パネル押え部材の位置を位置決めするために利用される位置決め確認手段（例えば、後述の位置決めＶ溝３５５、位置決め開口３５６）を備えることが好ましい。
【００１１】
また、前記位置決め確認手段は、前記パネル押え部材に形成されるＶ溝（例えば、後述の位置決めＶ溝３５５）であることが好ましい。
【００１２】
また、前記位置決め確認手段は、前記パネル押え部材に形成される貫通穴（例えば、後述の位置決め開口３５６）であることが好ましい。
【００１３】
また、前記位置決め確認手段は、前記パネル押え部材における棟側又は軒側の少なくとも一方側に設けられることが好ましい。
【００１４】
また、前記位置決め確認手段は、前記パネル押え部材における軒側に設けられることが好ましい。
【発明の効果】
【００１５】
本発明によれば、横桟から離れる方向への太陽光パネルの移動を一層抑制できるパネル押え部材を有し、かつ、横桟を簡易な梱包で出荷できる太陽光パネル架台を提供することができる。
【図面の簡単な説明】
【００１６】
【図１】本発明の一実施形態に係る太陽光パネル架台が適用された太陽光発電屋根の平面図である。
【図２】本実施形態に係る太陽光パネル架台の平面図である。
【図３】図１のＡ−Ａ線断面図である。
【図４】図１のＢ−Ｂ線断面図である。
【図５】連結部パネル押え部材の拡大断面図である。
【図６】連結部パネル押え部材の位置決めＶ溝を用いて、連結部パネル押え部材の位置合わせの確認を行う場合を示す平面図である。
【図７】変形形態の連結部パネル押え部材の位置決め開口を用いて、連結部パネル押え部材の位置合わせの確認を行う場合を示す平面図である。
【発明を実施するための形態】
【００１７】
以下、本発明の一実施形態の太陽光発電屋根１の構成について、図面を参照しながら詳細に説明する。図１は、本発明の一実施形態に係る太陽光パネル架台３が適用された太陽光発電屋根１の平面図である。図２は、本実施形態に係る太陽光パネル架台３の平面図である。図３は、図１のＡ−Ａ線断面図である。図４は、図１のＢ−Ｂ線断面図である。図５は、連結部パネル押え部材３５の拡大断面図である。図６は、連結部パネル押え部材３５の位置決めＶ溝３５５を用いて、連結部パネル押え部材３５の位置合わせの確認を行う場合を示す平面図である。
【００１８】
太陽光発電屋根１は、図１〜４に示すように、下地材２（図３参照）と、太陽光パネル架台３と、太陽光発電パネル４（太陽光パネル）と、を備える。
【００１９】
下地材２は、図３に示すように、野地板２１と、防水シート２２と、鋼板２３と、を備える。下地材２は、太陽光発電屋根１の土台部分を構成し、後述する太陽光パネル架台３を固定支持する。
【００２０】
野地板２１は、建物（図示せず）の屋根の骨組みである垂木２０の上に張られて配置される。この野地板２１は、太陽光発電屋根１の全面に配置される。野地板２１としては、合板等の板材が用いられる。
【００２１】
防水シート２２は、上述の野地板２１上に配置される。この防水シート２２により、太陽光発電屋根１の防水性が高められる。防水シート２２としては、板紙にアスファルトを含浸させたアスファルトルーフィング等の防水材料が用いられる。
【００２２】
鋼板２３は、上述の防水シート２２上に配置される。この鋼板２３により、太陽光発電屋根１の防火性、防水性及び強度が高められる。鋼板２３としては、従来公知の防火鋼板等が用いられる。
【００２３】
太陽光パネル架台３は、太陽光発電パネル４を屋根に固定するために用いられる。太陽光パネル架台３は、図３に示すように、上述の下地材２上にビス止めされて固定される。また、太陽光パネル架台３は、上述の太陽光発電パネル４を固定支持する。
太陽光パネル架台３は、図２に示すように、格子状に枠組みされた複数の縦桟３１と、複数の横桟３２と、を備える。
【００２４】
縦桟３１は、屋根の傾斜方向に延びて形成され、屋根に固定される。縦桟３１は、棟から軒先に亘って通しで設けられる。縦桟３１は、傾斜方向に直交する方向に所定間隔で複数配置されて下地材２にビス止めされる。
【００２５】
横桟３２は、図２に示すように、屋根の傾斜方向に直交する方向に延びて形成され、図３に示すように、縦桟３１上に、縦横導通金具３３及び軒側固定金具３４を介して、ビス止めされる。横桟３２は、太陽光発電パネル４を下方から支持し、図３に示すように、後述の隣接する太陽光発電パネル４の横辺部の連結部である横連結部４１の直下に配置される。また、横桟３２は、図２に示すように、複数の横桟構成部材３２１が横方向に連結されて構成される。
【００２６】
太陽光発電パネル４は、図１及び図２に示すように、太陽光発電屋根１の屋根の傾斜方向に複数枚が併設されると共に、該傾斜方向と直交する方向に複数枚が並設され、上述の太陽光パネル架台３により固定支持される。
【００２７】
太陽光発電パネル４の周縁部のうち、屋根の傾斜方向に直交する方向に沿う横辺部は、上述の太陽光パネル架台３を構成する横桟３２を間に挟んで、隣接する太陽光発電パネル４の横辺部に連結されることで、横連結部４１を形成する（図３及び図４参照）。横桟３２の上部は、図４に示すように、屋根の傾斜方向に並んで隣接する太陽光発電パネル４のうち、棟側の太陽光発電パネル４の軒側の横辺部である軒側端部と、軒側の太陽光発電パネルの棟側の横辺部である棟側端部とに挟まれて配置される。
【００２８】
横連結部４１は、図４に示すように、太陽光パネル架台３を構成する横桟３２の直上に配置される。横連結部４１には、隣接する太陽光発電パネル４の横辺部により挟持される横桟３２の上部に、両横辺部に沿って延びる連結部パネル押え部材３５（パネル押え部材）が取り付けられる。
【００２９】
連結パネル押え部材３５は、図１に示すように、屋根の傾斜方向に直交する方向に延びる。連結パネル押え部材３５は、太陽光発電パネル４の上面側に配置され、横桟３２から離れる方向への太陽光発電パネル４の移動を押さえる。連結パネル押え部材３５は、隣接する太陽光発電パネル４の軒側端部及び棟側端部の上方側に配置される。
【００３０】
連結部パネル押え部材３５は、図４に示すように、棟側延出片３５２（押え片）と、軒側延出片３５３（押え片）と、２つの下部係合爪片３５４（係合爪部）と、を有する。棟側延出片３５２及び軒側延出片３５３は、ネジ部材３５０によりネジ止めされる部分から、屋根の傾斜方向の軒側及び棟側の両側に延出する。下部係合爪片３５４は、横桟３２の上部に係合する。
【００３１】
連結部パネル押え部材３５は、横桟３２の上部において、図１に示すように、横桟３２が延びる方向に沿って、横桟３２が延びる方向の所定位置において、複数のネジ部材３５０により横桟３２にネジ止めされて固定される。連結部パネル押え部材３５は、太陽光発電パネル４の端部が横桟３２から離れる方向への移動を押さえる。
【００３２】
屋根の傾斜方向の最も軒側に配置される太陽光発電パネル４の軒側端部には、図１及び図３に示すように、軒側カバー部材３６が取り付けられ、最も棟側に配置される太陽光発電パネル４の棟側端部には、棟側端部押え部材３７が取り付けられ、棟側端部押え部材３７の棟側には、棟側カバー部材３８が取り付けられる。
【００３３】
軒側カバー部材３６は、図３に示すように、太陽光発電屋根１の軒先に配置される。軒側カバー部材３６は、太陽光発電屋根１の屋根の傾斜方向に直交する方向に延びてその軒先を覆うことで、軒先を保護する。これにより、軒先の意匠性が高められている。軒側カバー部材３６は、断面視で、棟側において、前述の連結部パネル押え部材３５の棟側延出片３５２と同様の構成を有し、軒側において、屋根の傾斜方向に沿って延びた後、軒先に向かうに従って下方に傾斜して設けられる。軒側カバー部材３６は、横桟３２の上部において、軒先に沿って延設され、横桟３２が延びる方向に沿って、横桟３２が延びる方向の所定位置において、複数のネジ部材３６０により、横桟３２にネジ止めされて固定される。
【００３４】
棟側押え部材３７は、図３に示すように、太陽光発電屋根１の棟部において、最も太陽光発電パネル４の棟側の端部を押さえる。棟側押え部材３７は、前述の連結部パネル押え部材３５と同様の形状を有するが、屋根の傾斜方向の棟側に太陽光発電パネルが存在しないため、屋根の傾斜方向の軒側の片側のみで、最も棟側に配置される太陽光発電パネル４の棟側端部を押さえる。棟側押え部材３７の棟側には、棟側カバー部材３８が配置される。棟側押え部材３７は、横桟３２の上部において、横桟３２が延びる方向に沿って、横桟３２が延びる方向の所定位置において、複数のネジ部材３７０により、横桟３２にネジ止めされて固定される。
【００３５】
棟側カバー部材３８は、図３に示すように、太陽光発電屋根１の棟部に配置される。棟側カバー部材３８は、屋根の傾斜方向に延びた後、屋根の棟部に向かうに従って下方に傾斜し、その後、太陽光発電屋根１の傾斜方向に直交する方向に延びてその棟部を覆うことで、棟部を保護する。これにより、棟部の意匠性が高められている。棟側カバー部材３８は、棟側押え部材３７に係止された状態で、最も棟側の横桟３２にネジ止めされている。
【００３６】
また、横桟３２は、図４に示すように、複数のアース接続部５により、太陽光発電パネル４に電気的に導通するように接続されている。複数のアース接続部５は、横桟３２における屋根の傾斜方向の棟側及び軒側のうちの棟側にのみ配置される。複数のアース接続部５は、図２に示すように、横桟３２が延びる方向の所定位置に配置され、横桟３２と太陽光発電パネル４とを電気的に接続する。
【００３７】
次に、連結部パネル押え部材３５の詳細について説明する。
図４〜図６に示すように、連結部パネル押え部材３５は、横桟３２の上部に係合により取り付けられる。連結部パネル押え部材３５は、横桟３２に沿って延びて形成され、棟側に配置される太陽光発電パネル４の軒側端部と軒側に配置される太陽光発電パネル４の棟側端部との両側を押さえる。
【００３８】
連結部パネル押え部材３５は、横連結部４１において、横桟３２の上部に取り付けられた状態において、隣接する太陽光発電パネル４のうち、棟側に配置される太陽光発電パネル４の軒側端部と、軒側に配置される太陽光発電パネル４の棟側端部とに跨って配置される。
【００３９】
連結部パネル押え部材３５は、屋根の傾斜方向に沿って傾斜する板状に形成され、屋根の傾斜方向に傾いて配置され、屋根の傾斜方向に横桟３２を覆うような幅を有して、横桟３２が延びる方向に延びる。
【００４０】
連結部パネル押え部材３５は、屋根の傾斜方向の略中央において、横桟３２が延びる方向の所定位置において、複数のネジ部材３５０によりネジ止めされて固定される。
【００４１】
連結部パネル押え部材３５は、図５に示すように、屋根の傾斜方向において、ネジ部材３５０によりネジ止めされる部分から棟側に延出する棟側延出片３５２と、ネジ部材３５０によりネジ止めされる部分から軒側に延出する軒側延出片３５３と、下面に形成される２つの下部係合爪片３５４と、を有する。
【００４２】
２つの下部係合爪片３５４は、屋根の傾斜方向に並んで配置される。２つの下部係合爪片３５４は、それぞれ、連結部パネル押え部材３５の下方に突出して形成され、軒側が開放する断面視Ｌ字状に形成される。下部係合爪片３５４は、横桟３２が延びる方向に延びて形成される。下部係合爪片３５４を、横桟３２の上部に形成され棟側が開放する断面視Ｌ字状の横桟上部係合爪片３２４に係合することで、連結部パネル押え部材３５は、横桟３２に取り付けられる。なお、下部係合爪片３５４は、横桟３２が延びる方向に延びて形成されていなくてもよく、横桟３２が延びる方向に離間して複数設けられていてもよい。
【００４３】
棟側延出片３５２及び軒側延出片３５３は、横桟３２が延びる方向に延びて形成され、太陽光発電パネル４の端部の上面の上方に配置される。棟側延出片３５２及び軒側延出片３５３は、太陽光発電パネル４の端部が横桟３２から離れる方向への移動を押さえる。なお、棟側延出片３５２及び軒側延出片３５３は、太陽光発電パネル４の端部の上面に当接していても当接していなくてもよく、太陽光発電パネル４の端部の上方に配置されることで、太陽光発電パネル４の端部が横桟３２から離れる方向への移動を押さえることができる。
【００４４】
棟側延出片３５２の上面には、雪止め用の雪止め部材（図示せず）の位置決めの雪止め位置決め段差３５２ａが形成されている。雪止め位置決め段差３５２ａは、横桟３２が延びる方向に延びる。
【００４５】
軒側延出片３５３の上面には、図５及び図６に示すように、位置決めＶ溝３５５（Ｖ溝、位置決め確認手段）が形成される。本実施形態においては、位置決めＶ溝３５５は、連結部パネル押え部材３５における軒側の上面に設けられ、連結部パネル押え部材３５の長手方向の両端部に亘って、横桟３２が延びる方向に延びる。
【００４６】
位置決めＶ溝３５５は、連結部パネル押え部材３５を横桟３２に取り付ける際に、横桟３２に対する連結部パネル押え部材３５の位置を位置決めするための確認のために利用される。例えば、位置決めＶ溝３５５が規定の範囲に位置する場合には、連結部パネル押え部材３５の下部係合爪片３５４は、横桟３２の横桟上部係合爪片３２４に係合している状態である。そのため、横桟３２に連結部パネル押え部材３５を取り付ける場合に、図５及び図６に示すように、例えば横桟３２のホロー部３２０の軒側の端面３２０ａに沿って延びるラインを位置確認ラインＬとすると、位置決めＶ溝３５５が位置確認ラインＬに対して規定の範囲に位置することを視認することで、連結部パネル押え部材３５の下部係合爪片３５４が横桟３２の横桟上部係合爪片３２４に係合していることを確認できる。これにより、連結部パネル押え部材３５における屋根の傾斜方向の取り付け位置がずれることを抑制できる。
【００４７】
従来、連結部パネル押え部材３５には、位置決めＶ溝３５５が設けられていなかった。この場合に、連結部パネル押え部材３５の下方から突出する下部係合爪片３５４が、横桟３２に係合しているかについて、連結部パネル押え部材３５の上方側から見ても分からなかった。これに対して、本発明においては、連結部パネル押え部材３５には、位置決めＶ溝３５５の上面に位置決めＶ溝３５５を設けため、位置決めＶ溝３５５が規定の範囲に位置することを上方側から視認して確認するだけで、連結部パネル押え部材３５の下部係合爪片３５４が、横桟３２に係合していることを確認できる。
【００４８】
また、本実施形態の場合、連結部パネル押え部材３５をネジ部材３５０により横桟３２にネジ止めで固定する場合において、横桟３２には、ネジ部材３５０のネジ止め用の下穴を設けずに、タッピングネジなどを利用して、捻じ込んで固定することがある。このような場合に、横桟３２に、連結部パネル押え部材３５用の下穴を設けない場合においても、位置決めＶ溝３５５の位置を、横桟３２のホロー部３２０の軒側の端面３２０ａに沿って延びる位置確認ラインＬに対して規定の範囲に位置することを確認しながら、連結部パネル押え部材３５を貫通したネジ部材３５０を横桟３２に捻じ込む。これにより、連結部パネル押え部材３５の下部係合爪片３５４が横桟３２の横桟上部係合爪片３２４に係合している状態で、連結部パネル押え部材３５を正確な位置に取り付けることができる。
【００４９】
また、従来、横桟に、傾斜方向に延在する延在片を設けて、横桟の延在片により、屋根の傾斜方向に隣接する太陽光発電パネルの端部を押さえていた。この場合、横桟の延出片が外部に露出されるため、横桟の色を太陽光発電パネル４のブラック色に合わせて、横桟３２には、ブラック色の塗装を施すことが必要であった。
【００５０】
これに対して、本発明は、連結部パネル押え部材３５は、横桟３２が上方から見えないように、隣接する太陽光発電パネルの軒側端部と棟側端部とに跨って配置される。そのため、連結部パネル押え部材３５は、横桟３２の上部側に、横桟３２を覆うように配置される。これにより、横桟３２が外方に露出しないため、太陽光発電パネル４のブラック色に合わせて、連結部パネル押え部材３５をブラック色に構成すればよい。そして、横桟３２の塗装を、太陽光発電パネル４の色に合わせる必要がない。このため、横桟３２に塗装を施すことなく、材料色であるアルミの材料色であるシルバー色のまま使用できる。よって、横桟３２をシルバー色で形成することで、傷も付きにくく目立ちにくいため、横桟３２をブラック色で形成する場合よりも、簡単な梱包で出荷できる。
【００５１】
以上説明した本実施形態の太陽光パネル架台３によれば、以下のような効果を奏する。
本実施形態の太陽光パネル架台３は、縦桟３１と、傾斜方向に直交する方向に延びて縦桟３１上に連結される横桟３２と、太陽光発電パネル４の上面側に配置され横桟３２から離れる方向への太陽光発電パネル４の移動を押さえる連結部パネル押え部材３５と、を備え、連結部パネル押え部材３５は、隣接する太陽光発電パネル４の軒側端部及び棟側端部の上方側に配置され屋根の傾斜方向の軒側及び棟側の両側に延出する棟側延出片３５２及び軒側延出片３５３と、下方に突出して形成され横桟３２の上部に係合する下部係合爪片５３４と、を有し、横桟３２にネジ止めされる。
【００５２】
そのため、連結部パネル押え部材３５は、下部係合爪片５３４において横桟３２の上部に係合した状態で、屋根の傾斜方向の軒側及び棟側の両側において屋根の傾斜方向に隣接する太陽光発電パネル４を押さえることができると共に、横桟３２にネジ止めされる。これにより、連結部パネル押え部材３５を横桟３２に強固に固定できると共に、横桟３２から離れる方向への太陽光発電パネル４の移動を一層抑制できる。
【００５３】
また、連結部パネル押え部材３５の棟側延出片３５２及び軒側延出片３５３は、傾斜方向の軒側及び棟側の両側に延出する。そのため、連結部パネル押え部材３５は、横桟３２を覆うように配置される。これにより、横桟３２の塗装を太陽光発電パネル４の色に合わせる必要がない。このため、横桟３２に塗装を施すことなく、材料色であるアルミの材料色であるシルバー色のまま使用できる。よって、横桟３２をシルバー色で形成することで、傷も付きにくく目立ちにくいため、横桟３２をブラック色で形成する場合よりも、簡単な梱包で出荷できる。
【００５４】
また、本実施形態においては、連結パネル押え部材３５は、横桟３２に対する連結パネル押え部材３５の位置を位置決めするために利用される位置決めＶ溝３５５（位置決め確認手段）を備える。これにより、下部係合爪片５３４が横桟３２に確実に係合した状態で、連結パネル押え部材３５を横桟３２に取り付けることができる。
【００５５】
また、本実施形態においては、位置決めＶ溝３５５により、横桟３２に対する連結パネル押え部材３５の位置決めの確認ができるため、簡易な構成で、下部係合爪片５３４が横桟３２に確実に係合したことを確認できる。また、位置決めＶ溝３５５により位置決めする位置を視認できるため、位置決めＶ溝３５５の配置位置を視認するだけで、簡単に、下部係合爪片５３４が横桟３２に係合したことを確認できる。
【００５６】
また、本実施形態においては、位置決めＶ溝３５５は、連結パネル押え部材３５における軒側に設けられる。そのため、連結パネル押え部材３５の施工時に、屋根の傾斜方向の下方側において、横桟３２に対する連結パネル押え部材３５の位置決めの確認ができる。これにより、屋根の傾斜方向の下方側で連結パネル押え部材３５の位置合わせを行えるため、連結パネル押え部材３５を横桟３２に容易に取り付けることができる。
【００５７】
上記実施形態の変形形態について説明する。図７は、変形形態の連結部パネル押え部材３５Ａの位置決め開口３５６を用いて、連結部パネル押え部材３５Ａの位置合わせの確認を行う場合を示す平面図である。
【００５８】
図７に示すように、変形形態の連結部パネル押え部材３５Ａは、前記実施形態の位置決めＶ溝３５５に代えて、位置決め開口３５６（貫通穴、位置決め確認手段）を備える。
【００５９】
変形形態の連結部パネル押え部材３５Ａにおいて、位置決め開口３５６は、例えば、連結部パネル押さえ部材３５Ａの長手方向の端部近傍において、平面視長方形状に形成され、連結部パネル押さえ部材３５Ａの厚さ方向に貫通して形成されている。位置決め開口３５６は、軒側に形成される開口縁ライン３５６ａを有する。開口縁ライン３５６ａは、横桟３２が延びる方向に所定長さで延びて形成される。
【００６０】
位置決め開口３５６の開口縁ライン３５６ａは、前述の位置決めＶ溝３５５と同様に、横桟３２に連結部パネル押え部材３５を取り付ける場合に、位置決め開口３５６の開口縁ライン３５６ａが位置確認ラインＬに対して規定の範囲に位置することを視認することで、連結部パネル押え部材３５Ａの下部係合爪片３５４が横桟３２の横桟上部係合爪片３２４に係合していることを確認できる。これにより、連結部パネル押え部材３５Ａにおける屋根の傾斜方向の取り付け位置がずれることを抑制できる。
【００６１】
変形形態によれば、位置決め開口３５６により、横桟３２に対する連結パネル押え部材３５Ａの位置決めの確認ができるため、簡易な構成で、下部係合爪片５３４が横桟３２に確実に係合したことを確認できる。また、位置決め開口３５６により位置決めする位置を視認できるため、位置決め開口３５６の開口縁ライン３５６ａの配置位置を視認するだけで、簡単に、下部係合爪片５３４が横桟３２に係合したことを確認できる。
【００６２】
以上、本発明の太陽光パネル架台３の好ましい一実施形態について説明したが、本発明は、上述した実施形態に制限されるものではなく、適宜変更が可能である。
例えば、前記実施形態においては、位置決めＶ溝３５５を、連結パネル押え部材３５における軒側に設けるように構成したが、これに限定されない。位置決めＶ溝３５５を、連結パネル押え部材３５における棟側に設けてもよいし、連結パネル押え部材３５における棟側及び軒側の両側に設けてもよい。また、この内容は、変形形態における位置決め開口３５６についても同様である。
【００６３】
また、前記実施形態及び前記変形形態においては、連結部パネル押え部材３５，３５Ａに、位置決めＶ溝３５５又は位置決め開口３５６のいずれか一方を設けたが、これに限定されず、連結部パネル押え部材に、位置決めＶ溝及び位置決め開口の両方を設けてもよい。この場合、位置決めＶ溝及び位置決め開口を、連結パネル押え部材３５における棟側又は軒側のいずれに設けてもよい。
【００６４】
また、前記実施形態において、連結部パネル押え部材３５の下部係合爪片３５４を２つ設けたが、これに限定されず、１つ又は３つ以上設けてもよい。
【符号の説明】
【００６５】
３  太陽光パネル架台
４  太陽光発電パネル（太陽光パネル）
３１  縦桟
３２  横桟
３５，３５Ａ  連結部パネル押え部材（パネル押え部材）
３５２  棟側延出片（押え片）
３５３  軒側延出片（押え片）
３５４  下部係合爪片（係合爪部）
３５５  位置決めＶ溝（Ｖ溝、位置決め確認手段）
３５６  位置決め開口（貫通穴、位置決め確認手段）
【図１】
2019027239.tif 000003
【図２】
2019027239.tif 000004
【図３】
2019027239.tif 000005
【図４】
2019027239.tif 000006
【図５】
2019027239.tif 000007
【図６】
2019027239.tif 000008
【図７】
2019027239.tif 000009